(57)【特許請求の範囲】
【請求項１】
記録媒体を収納するケースの出し入れを行う出入口と、前記記録媒体と電気的に接続される接続部を有するとともに出入口に挿入された前記ケースを支持するシャーシと、前記出入口と装置奥部との間で前記ケースを搬送する搬送機構と、を備えた記録媒体駆動装置において、
前記ケースの一方の面の四隅に、前記記録媒体の中心を通るとともに前記移動方向に平行に延びる中心線に対して左右非対称となる位置に形成された凸部が設けられ、前記シャーシには、前記ケースの上に対向する天面と、前記移動方向に延びるとともに前記ケースの両縁部を下から支持する左右一対の底面が形成され、前記天面と前記底面との間の高さ寸法をＨ、前記ケースの厚み寸法をｈ、前記凸部の高さ寸法をΔｈとしたときに、前記Ｈがｈ≦Ｈ＜ｈ＋Δｈの範囲で形成されており、
一方の前記底面の幅寸法よりも他方の前記底面の幅寸法が広く形成されて、前記ケースが正常な向きで前記出入口に挿入されたときに、左右の前記凸部が共に、一方の前記底面と他方の前記底面との間に入り込み、前記ケースが正常な向きに対して前後逆向きで挿入されたときに、左右の一方の側の前記凸部が、幅寸法が広い前記底面と前記天面との間に入り込むことができないことを特徴とする記録媒体駆動装置。
【請求項２】
左側の前後２つの前記凸部と、右側の前後２つの前記凸部が、前記中心線と平行な線上に配置されている請求項１記載の記録媒体駆動装置。
【請求項３】
前記ケースの他方の面に、それぞれの凸部と対向する位置に形成された凹部が設けられ、複数の前記ケースが同じ向きで重ねられたときに、上に位置する前記ケースの前記凸部が、下に位置する前記ケースの前記凹部に嵌合する請求項１または２記載の記録媒体駆動装置。
【発明の詳細な説明】
【技術分野】
【０００１】
本発明は、ハードディスクなどの記録媒体に対して記録・再生を行う記録媒体駆動装置に係わり、特にオートローディングタイプの記録媒体駆動装置に関する。
【背景技術】
【０００２】
大量のデータ情報を磁気的又は光学的に記録する携帯側の記録媒体には、フラッシュメモリを用いたカード状のメモリ型記録媒体と、複数の磁気ディスクを重ねた箱型記録媒体（ハードディスク）などがある。
【０００３】
これら携帯型の記録媒体は、専用の記録媒体駆動装置に対して着脱自在に設定されており、記録又は再生を行う場合に記録媒体駆動装置に装着され、携行するときには記録媒体駆動装置から取り外される。記録媒体と記録媒体駆動装置との間の接続は、コネクタを用いて行われるのが一般的である。
【０００４】
ところで、このような記録媒体では、記録媒体の前後や表裏の向きを間違えて記録媒体駆動装置に逆差し挿入すると、コネクタが破損ないしは破壊されてしまうといった誤挿入の問題が起きることがあり、以下の特許文献１，２にはこのような記録媒体の誤挿入防止に関する発明が記載されている。
【０００５】
特許文献１に示すものでは、表裏逆向きに挿入されたカードに先端がハウジング内に設けられたロックばねなどの部材に衝突することで、前記カードの誤挿入を防止するというものである。
【０００６】
一方、特許文献２に記載のものは、ハウジングの奥部に設けられた誤挿入防止突出部が設けられており、カードの前後を間違えて誤挿入されると、挿入したカードの先端部分が誤挿入防止突出部に衝突することにより、カードの誤挿入が停止されるというものである。
【特許文献１】特開２００７−２２７２１５号公報
【特許文献２】特許第３９２４６７７号明細書
【発明の開示】
【発明が解決しようとする課題】
【０００７】
しかし、特許文献１および２に記載のものは、いずれも記録媒体（カード）の先端部がハウジングの奥部に設けた障害物に当接するまで、前記記録媒体をハウジングの内部に一定量以上挿入する必要があり、即座に誤挿入であることを使用者に知らしめることができないという問題がある。
【０００８】
また特許文献1、２に記載のものはカードの表裏と前後のいずれか一方を間違えた場合の誤挿入防止機構であり、カードの前後および表裏の双方に対応できるものではない。
【０００９】
本発明は上記従来の課題を解決するためのものであり、向きの如何を問わず不正常な向きで挿入された記録媒体を早期の段階で停止させ、これ以上の誤挿入を防止できるようにした記録媒体駆動装置を提供することを目的としている。
【課題を解決するための手段】
【００１０】
本発明は、記録媒体を収納するケースの出し入れを行う出入口と、前記記録媒体と電気的に接続される接続部を有するとともに出入口に挿入された前記ケースを支持するシャーシと、前記出入口と装置奥部との間で前記ケースを搬送する搬送機構と、を備えた記録媒体駆動装置において、
前記ケースの一方の面の四隅に、前記記録媒体の中心を通るとともに前記移動方向に平行に延びる中心線に対して左右非対称となる位置に形成された凸部が設けられ、前記シャーシには、前記ケースの上に対向する天面と、前記移動方向に延びるとともに前記ケースの両縁部を下から支持する左右一対の底面が形成され、前記天面と前記底面との間の高さ寸法をＨ、前記ケースの厚み寸法をｈ、前記凸部の高さ寸法をΔｈとしたときに、前記Ｈがｈ≦Ｈ＜ｈ＋Δｈの範囲で形成されており、
一方の前記底面の幅寸法よりも他方の前記底面の幅寸法が広く形成されて、前記ケースが正常な向きで前記出入口に挿入されたときに、左右の前記凸部が共に、一方の前記底面と他方の前記底面との間に入り込み、前記ケースが正常な向きに対して前後逆向きで挿入されたときに、左右の一方の側の前記凸部が、幅寸法が広い前記底面と前記天面との間に入り込むことができないことを特徴とするものである。
【００１１】
本願発明では、正常な向きで挿入されたケースについてはそのままでの挿入を許容し、不正常な向きで挿入されたケースについては、媒体ケースを出入口に差し込んだ段階でそれ以上の挿入を阻止することができる。このため、使用者に誤挿入であることを即座に知らしめることができる。
【発明の効果】
【００１４】
本発明では、向きの如何を問わず不正常な向きで挿入された媒体ケースについては、出入口に差し込んだ段階でそれ以上の挿入を阻止することができる。このため、使用者に誤挿入であることを即座に知らしめることができる。また正常な向きで挿入されたケースについては、そのまま挿入することができるため、スムーズな挿入動作を実現できる。
【発明を実施するための最良の形態】
【００１５】
まず、本発明である記録媒体駆動装置において使用される記録媒体について説明する。
図１は記録媒体を備えた媒体ケースを示す外観斜視図、図２は媒体ケースの正面図である。
【００１６】
図１および図２に示すように、この媒体ケース１の外観は略箱型形状をしており、媒体ケース１の上側（Ｚ１側）部分を覆う上部ケース２と下側（Ｚ２側）部分を覆う下部ケース３とを有している。
【００１７】
前記上部ケース２と下部ケース３との間には、例えばハードディスクなどから構成される記録媒体（図示せず）が収納されている。記録媒体を備えた媒体ケース１自体の厚み寸法（上部ケース２の表面と下部ケース３の表面間の厚み寸法）はｈである。なお、媒体ケース１に収納される記録媒体は、ハードディスクに限られるものではなく、例えばフラッシュメモリなど半導体素子から構成される記録媒体、あるいはホログラム型の記録媒体などであってもよい。
【００１８】
前記上部ケース２のＹ１方向の前方位置には、一定の幅寸法および深さ寸法を有する搬送用の係止凹部２Ａが形成されている。この係止凹部２Ａは、後述するように移送部材に設けられた係止凸部によって係止されて搬送される。
【００１９】
上部ケース２の四つのコーナーには、上部ケース２の内方に向かって凹状に窪む凹部２ａ，２ｂ，２ｃおよび２ｄが設けられている。凹部２ａ，２ｂは上部ケース２の前方側の位置に設けられ、凹部２ｃ，２ｄは上部ケース２の後部側の位置に設けられている。
【００２０】
一方、下部ケース３の四つのコーナーには、下部ケース３の表面から凸状に突出形成された凸部３ａ，３ｂ，３ｃおよび３ｄが設けられている。凸部３ａ，３ｂは下部ケース３の前方側の位置に設けられ、凸部３ｃ，３ｄは下部ケース３の後部側の位置に設けられている。
【００２１】
前記凸部３ａ，３ｂ，３ｃおよび３ｄの高さ方向の寸法はΔｈであり、凸部３ａ，３ｂ，３ｃおよび３ｄを考慮した媒体ケース１全体の厚み寸法はｈ＋Δｈである。
【００２２】
図２に示すように、Ｘ１側の位置に設けられた凹部２ａ，２ｃと、同じく図示Ｘ１側の位置に設けられた凸部３ａ，３ｃとは、ともに媒体ケース１の幅方向の中心線Ｏｍ−ＯｍからＸ１方向に所定の距離Ｌａ１だけ離れた位置に設けられている。また図示Ｘ２側の位置に設けられた凹部２ｂ，２ｄと、同じく図示Ｘ２側の位置に設けられた凸部３ｂ，３ｄとは、ともに中心線Ｏｍ−ＯｍからＸ２方向に所定の距離Ｌａ２だけ離れた位置に設けられている。
【００２３】
前記距離Ｌａ１と距離Ｌａ２とはＬａ１＞Ｌａ２の関係にある。すなわち、中心線Ｏｍ−Ｏｍに対し、上側ケース２に設けられたＸ１側の凹部２ａ，２ｃとＸ２側の凹部２ｂ，２ｄとは左右非対称の位置に形成されている。同様に、下側ケース３に設けられたＸ１側の凸部３ａ，３ｃとＸ２側の凸部３ｂ，３ｄとは左右非対称の位置に形成されている。
【００２４】
なお、前記媒体ケース１では、２台以上の媒体ケース１を揃えた状態で積み重ねると、上側に位置する媒体ケース１の下部ケース３に設けられた４つの凸部３ａ，３ｂ，３ｃおよび３ｄが、下側に位置する媒体ケース２の上部ケース１に設けられた４つの凸部２ａ，２ｂ，２ｃおよび２ｄに嵌合的に入り込む。このため、２台以上の媒体ケース１を、高さ方向（Ｚ方向）に規則正しく積み上げることが可能とされている。
【００２５】
前記媒体ケースのＹ１側には前面パネル４が設けられている。前記前面パネル４の中央には凹状のコネクタ部５Ａを有する第１のコネクタ５が設けられており、第１のコネクタ５のコネクタ部５Ａには複数の接続用の外部端子５ａが露出されている。前記外部端子５ａは銅や金などで形成されており、Ｚ方向を長手方向とする帯状の電極である。これら複数の外部端子５ａは、幅方向（Ｘ方向）に所定の間隔を置いて並んでいる。この前記外部端子５ａに、後述するような記録媒体駆動装置側の第２のコネクタ３０を接続し所定の信号を与えることにより、媒体ケース１の内部の記録媒体に対し、データを書き込むことができ、または記録されているデータを読み出せるようになっている。
【００２６】
前記コネクタ部５Ａの幅方向の左右両端部には、Ｙ方向に延びる一対の位置決め孔６ａ，６ｂが形成されている。後述するように、この位置決め孔６ａ，６ｂにはガイドピンが挿入される。
【００２７】
第１のコネクタ５のとなりには、内部の記録媒体への書き込みの許可および不許可を設定するためのライトプロテクト部７が設けられている。ライトプロテクト部７は、Ｘ方向に移動するスライド型のスイッチで形成されており、前面パネル４の表面にはスイッチを操作するための設定凸部７ａが突出している。例えば、設定凸部７ａをＸ１方向にスライドさせると、「書き込みの許可」状態に設定され、設定凸部７ａをＸ２方向にスライドさせると、「書き込みの不可」状態に設定される。
【００２８】
次に、上記媒体ケースを駆動するための記録媒体駆動装置について説明する。
図３は本発明の記録媒体駆動装置の外観を示す斜視図、図４は記録媒体駆動装置の内側に設けられた駆動装置本体の分解斜視図、図５は駆動装置本体の平面図、図６はスライダと移送部材を示す斜視図、図７はスライダと移送部材との詳細を示す断面図、図８は駆動装置本体を図４とは異なる方向から見た場合を示す斜視図である。
【００２９】
図３に示すように、記録媒体駆動装置１０は箱型の形状をしており、その前方（Ｙ２）の位置には化粧パネル１１が設けられている。化粧パネル１１には、媒体ケース１の挿入および排出を行うための出入口１２が形成されている。前記出入口１２の内側には開閉式のシャッタ１３が設けられている。前記シャッタ１３は、上端側のＸ方向の両端部が前記出入口１２の両側方向の内面に対して回動自在に支持されており、出入口１２の内側に向かって回動可能である。出入口１２から挿入された媒体ケース１は、前記シャッタ１３を内側に押し開きながら装置奥部方向向かって移動させられる。
【００３０】
図４に示すように、記録媒体駆動装置１０の内部には、駆動装置本体２０が設けられている。
【００３１】
駆動装置本体２０は金属製のシャーシ２１を有している。シャーシ２１は、天面２１Ａと、天面２１Ａの両側をＺ２方向にほぼ直角に折り曲げて形成した側面２１Ｂ，２１Ｃと、前記側面２１Ｂ，２１Ｃの先端をさらに内側に向かってほぼ直角に折り曲げ形成した底面２１Ｄ，２１Ｅとを有している。したがって、図４に示すように、シャーシ２１の正面側には、天面２１Ａ、側面２１Ｂ，２１Ｃおよび底面２１Ｄ，２１Ｅで囲まれる略四角形状のスペースＳが形成される。
【００３２】
ここで、天面２１Ａと底面２１Ｄ，２１Ｅとの間の高さ方向の対向寸法をＨとすると、対向寸法Ｈは前記媒体ケース１の厚み寸法ｈ以上であり、且つ凸部３ａ，３ｂ，３ｃおよび３ｄの高さ寸法Δｈを含めた前記媒体ケース１全体の厚み寸法ｈ＋Δｈ未満の範囲に設定されている（ｈ≦Ｈ＜ｈ＋Δｈ）。また底面２１Ｅの幅寸法ＷＥは、底面２１Ｄの幅寸法ＷＤよりも幅広に形成されている（ＷＥ＞ＷＤ）。
【００３３】
図４に示すように、シャーシ２１のＺ１側の天面２１Ａには、媒体ケース１の挿入方向および排出方向である図示Ｙ方向に移動自在に設けられたスライダ２２と、回転軸２３に対して回転自在に支持されたアーム２４が設けられている。
【００３４】
スライダ２２のＹ２方向の先端側には支持ピン２２ａが設けられている。アーム２４の先端にはＵ字孔２４ａが形成されており、このＵ字孔２４ａ内に前記支持ピン２２ａが挿通されている。すなわち、スライダ２２とアーム２４とは支持ピン２２ａを介して連結されている。このため、スライダ２２がＹ１方向またはＹ２方向に移動すると、支持ピン２２ａが前記Ｕ字孔２４ａをＹ方向に押すため、その押圧方向に応じて前記アーム２４が時計回り方向または反時計回り方向に回転する。あるいは前記アーム２４が時計回り方向または反時計回り方向に回動すると、その回動方向に応じてスライダ２２がＹ１方向またはＹ２方向に移動する。
【００３５】
シャーシ２１のＹ１側の奥部には、略長方形状に形成された開口部２１ａが形成されている。前記開口部２１ａのＸ方向の両端には、開口部２１ａに幅寸法をＸ１およびＸ２方向に広げる拡張部２１ｂ，２１ｂが部分的に形成されている。
【００３６】
またスライダ２２のＹ１側の奥部にも前記シャーシ２１の開口部２１ａに対応するように形成された角状の開口部２２Ａが設けられている。
【００３７】
図４および図５に示すように、前記開口部２１ａには移送部材２５が配置されている。図６に示すように、移送部材２５は、図示Ｙ２側の先端側の下面に形成された係止凸部２５ａと、Ｙ１側の後端に形成された一対の支持部２５ｂ，２５ｂと、係止凸部２５ａと支持部２５ｂ，２５ｂとの中間にＸ１およびＸ２方向に突出するように形成された一対の押圧部２５ｃ，２５ｃとを有している。なお、図６，図７に示すように、前記係止凸部２５ａのＹ２側の先端には傾斜の緩い第１のテーパ部２５ｆが形成され、Ｙ１側には前記第１のテーパ部よりも傾斜のきつい第２のテーパ部が形成されている。
【００３８】
また一対の支持部２５ｂ，２５ｂには、図示Ｘ方向に貫通する貫通孔２５ｂ１，２５ｂ１が形成されている。さらに一方の支持部２５ｂには、掛止凸部２５ｄとストッパ突起２４ｅとが一体の形成されている。
【００３９】
スライダ２２の開口部２２Ａには、その両縁部から内部方向に折り曲げることにより形成された一対の折曲片２２ｂ，２２ｂが設けられている。この折曲片２２ｂ，２２ｂには貫通孔２２ｂ１，２２ｂ１が形成されている。
【００４０】
前記移送部材２５に設けられた一対の貫通孔２５ｂ１，２５ｂ１の間に、スライダ２２に設けられた一対の貫通孔２２ｂ１，２２ｂ１が位置合わせされ、こららの孔内に支持軸２６が挿通される。これにより移送部材２５は、支持軸２６を中心に、スライダ２２に対して図示α１およびα２方向に回動自在に支持されている（図６参照）。また前記支持軸２６の周囲には付勢部材としての捩じりコイルばね２７が設けられている。図７に拡大して示すように、捩じりコイルばね２７の一端２７ａはスライダ２２側に設けられた係止部２２ｃに係止され、他端２７ｂは移送部材２５の一方の支持部２５ｂに形成された前記掛止凸部２５ｄに係止されている。このため、前記移送部材２５には、常にスライダ２２のから離れる図示α１方向の付勢力が作用している。
【００４１】
ただし、図７に示すように、移送部材２５に形成されているストッパ突起２５ｅの上面が、前記開口部２２ＡのＹ１側の縁部を形成するスライダ２２の下面に当接する。このため、移送部材２５は、先端側の係止凸部２５ａがわずかにα１方向に回動して傾いた傾斜状態が維持される。この状態では、前記一対の押圧部２５ｃ，２５ｃは前記スライダ２２から離れている。したがって、図７に点線で示すように、スライダ２２をＺ１方向に押した場合には、スライダ２２は一対の押圧部２５ｃ，２５ｃの上面が、開口部２２Ａの両側に位置するスライダ２２の下面に当接するまでの間、図示α２方向に回動することが可能である。
【００４２】
図８に示すように、シャーシ２１のＹ１方向の奥部には、第２のコネクタ３０が設けられている。
【００４３】
第２のコネクタ３０は、シャーシ２１に対して固定された基台３０Ａが設けられており、この基材３０ＡにＸ方向を長手方向とする凸状のコネクタ部（接続部）３１が形成されている。前記コネクタ部３１には、Ｘ方向に沿って一定の間隔を置いて一列に並ぶ複数の接続ピン３２を有している。各接続ピン３２は、Ｙ方向に進退自在に設けられており、内部に設けられた図示しない弾性部材の付勢力によって、常に突出するＹ２方向に付勢されている。このため、接続ピン３２をＹ１方向に押圧すると、接続ピン３２はコネクタ部３１の内部に隠れ、前記押圧を解除するとＹ２方向に突出する。複数の接続ピン３２が、媒体ケース１の第１のコネクタ５に設けられた複数の外部端子５ａがそれぞれ当接することにより、媒体ケース１と駆動装置本体２０との間の電気的な接続が行われる。
【００４４】
図８に示すように、コネクタ部３１のＸ方向の両端で且つ基材３０ＡのＹ２側の一面には、図示Ｙ２方向に延びる基準ガイドピン（第１のガイドピン）３３と補助ガイドピン（第２のガイドピン）３４とが設けられている。基準ガイドピン３３は一定の径寸法φ１を有する本体部と、その先端部に先端に向かうほど徐々に径寸法が絞られる細くなる傾斜部を有している。同じく補助ガイドピン３４も一定の径寸法φ２を有する本体部と、その先端部に先端に向かうほど徐々に径寸法が絞られる細くなる傾斜部を有している。
【００４５】
基準ガイドピン３３の本体部の径寸法φ１は、補助ガイドピン３４の本体部の径寸法φ２よりも太い径寸法で形成されている（φ１＞φ２）。ただし、いずれの径寸法も媒体ケース１の第１のコネクタ５に形成された位置決め孔６ａ，６ｂの内径寸法よりも細く形成されている。また一方の基準ガイドピン３３の全長は、他方の補助ガイドピン３４の全長よりも長い寸法で形成されている。
【００４６】
なお、駆動装置本体２０には、アーム２４を時計回り方向および反時計回り方向に回転する駆動機構、前記駆動機構に動力を与える駆動モータ、および駆動モータの回転、および記録媒体に対する書込みや読み出しなどの制御を行う制御部、さらには各種の検出センサが設けられている。
【００４７】
上記記録媒体駆動装置の動作について説明する。
図９は媒体ケースの前後方向を正しい向きで挿入した場合（実線）および逆向きの状態で挿入した場合（点線）とを示す駆動装置本体の正面図、図１０は媒体ケースの上下方向を違えて逆さまの状態で挿入した場合を示す駆動装置本体の正面図である。
【００４８】
媒体ケース１が挿入される前の初期状態では、スライダ２２は、最も出入口１２（図示Ｙ２方向）に移動させられており、アーム２４は反時計回り方向に回動させられている。このとき、スライダ２２に搭載されている移送部材２５は、一対の押圧部２５ｃ，２５ｃが前記スライダ２２に形成されている前記拡張部２１ｂ，２１ｂ内に位置している。この状態では、移送部材２５はα１方向（図７参照）に回動しており、係止凸部２５ａは、スライダ２２に形成された開口部２２Ａおよびシャーシ２１に形成された開口部２１ａを通じてシャーシ２１の内側に突出している。
【００４９】
媒体ケース１は、出入口１２からシャッタ１３を押し開いて内部に押し込まれる。続いて、媒体ケース１はシャーシ２１の正面からスペースＳ内に挿入される。
【００５０】
図９に実線で示すように、上述の媒体ケース１を正常な向きで、前記シャーシ２１の正面側からスペースＳ内に挿入されると、図示Ｘ２側では下部ケース３に形成されている凸部３ｂ，３ｄは前記底面２１Ｅの内側の縁部よりも幅方向の中心側に位置し、同様に図示Ｘ１側でも下部ケース３に形成されている凸部３ａ，３ｃは前記底面２１Ｄの内側の縁部よりも幅方向の中心側に位置する。したがって、正常な向きでは、凸部３ａ，３ｃおよび凸部３ｂ，３ｄが、底面２１Ｄおよび底面２１Ｅに当たることがなく、下部ケース３の左右（Ｘ）の端部の表面が前記シャーシ２１の底面２１Ｅ，２１Ｄに支持されながら、その上を奥部方向に向かってスムーズにスライドする。換言すると、媒体ケース１を正常な向きで挿入した場合には、凸部３ａ，３ｃおよび凸部３ｂ，３ｄは、ともにシャーシ２１の底面２１Ｄと底面２１Ｅとの間の内側を移動方向に向かって通り抜け、底面２１Ｄおよび底面２１Ｅに当たることがないため、媒体ケース１をスムーズに挿入することができる。
【００５１】
一方、媒体ケース１を不正常な向きで、前記シャーシ２１を正面側からスペースＳに挿入した場合には以下のようになる。
【００５２】
すなわち、図９に点線で示すように、媒体ケース１の前後の向きを違えて逆差した場合には、挿入方向先端に位置する一方の凸部３ｃが前記底面２１Ｅの幅寸法ＷＥの範囲内に位置する。この状態では、前記媒体ケース１のうち凸部３ｃを有する側の前記媒体ケース１全体の厚み寸法ｈ＋Δｈが、前記天面２１Ａと底面２１Ｅとの間の対向寸法Ｈを越える。このため、媒体ケース１の挿入方向の先端が、前記シャーシ２１の入口の先端部分で前記天面２１Ａと底面２１Ｅとの間に挟まれ、媒体ケース１をこれ以上奥部方向に挿入することができなくなる。よって、使用者は、このような挿入作業を行った早期の段階で、媒体ケース１を不正常な向きで挿入したことを認識することが可能である。
【００５３】
また図１０に示すように、媒体ケース１の上下方向を違えてシャーシ２１に逆さまの状態で挿入した場合、媒体ケース１は上部ケース２の表面がシャーシ２１の底面２１Ｄおよび２１Ｅに支持されることになる。しかし、この状態でさらに媒体ケース１をシャーシ２１に差し込むと、下部ケース３に形成された挿入方向の先端側に位置する凸部３ａ，３ｂがシャーシ２１の天面２１Ａに当接する。このため、逆さまの向きにある媒体ケース１のこれ以上の挿入を阻止することができる。よって、この場合にも使用者は、挿入作業を行った早期の段階で、媒体ケース１を不正常な向きで挿入したことを認識することが可能である。
【００５４】
なお、媒体ケース１の前後方向および上下方向の双方を違えて挿入した場合にも、上記同様に媒体ケース１の誤挿入を早期の段階で阻止することが可能である。
【００５５】
このように、本願発明では、正常な向きで挿入された媒体ケース１に限り媒体ケース１の装置内部への挿入を許容し、不正常な向きで挿入された媒体ケース１については早期の段階でその挿入を防止することができる。
【００５６】
図７に示すように、正常な姿勢の媒体ケース１がシャーシ２１内を奥部方向に操作されると、その途中で、媒体ケース１の先端、より詳しくは上部ケース２の挿入方向の先端部分が、シャーシ２１の内側に突出している移送部材２５先端の第１のテーパ部２５ｆに当接する。そして、さらに媒体ケース１を挿入すると、媒体ケース１の先端部分が前記移送部材２５の第１のテーパ部２５ｆを図示α２方向に押し上げる。
【００５７】
さらに媒体ケース１がシャーシ２１の奥部方向に移動させられると、第１のテーパ部２５ｆに続く係止凸部２５ａが、上部ケース２の表面に乗り上り、その後に前記係止凹部２Ａに入り込み、捩じりコイルばね２７の付勢力によって前記係止凹部２Ａを係止する。なお、このとき上部ケース２の挿入方向の先端部分が、移送部材２５の一対の押圧部２５ｃ，２５ｃの前面（図示Ｙ２側の面）に接する。
【００５８】
そして、さらに媒体ケース１がシャーシ２１の奥部方向に移動させられると、媒体ケース１により一対の押圧部２５ｃ，２５ｃの前面が挿入方向に押圧されるため、媒体ケース１とともに移送部材２５およびこれを支持するスライダ２２が一緒に奥部方向に移動させられる。
【００５９】
媒体ケース１がシャーシ２１の内部に一定量以上挿入されたことは、駆動装置本体２０内に設けられた図示しない検出センサにより検出され、図示しない制御部に伝達される。すると、制御部は、駆動モータを始動させ、前記アーム２４を図５にて時計回り方向に回転させる。これにより、スライダ２２が装置奥部方向に移動させられ、移送部材２５の係止凸部２５ａにより係止された媒体ケース１が装置奥部方向にローディングさせられる。
【００６０】
このとき、一対の押圧部２５ｃ，２５ｃが、前記天面２１Ａに形成された前記拡張部２１ｂ，２１ｂを出て前記天面２１Ａの下面に潜り込む。このため、通常は、移動中の移送部材２５の前記一対の押圧部２５ｃ，２５ｃは天面２１Ａの下面に接触することなく対向している。また移動中の移送部材２５に何らかの力がα２方向に作用した場合には、前記一対の押圧部２５ｃ，２５ｃが天面２１Ａの下面に当接し、移送部材２５のα２方向の回動を制限する。よって、移送部材２５側の係止凸部２５ａが媒体ケース１側の係止凹部２Ａから外れることがなく、媒体ケース１を確実に引き込むことが可能である。
【００６１】
ローディングされた媒体ケース１が装置奥部に移動させられると、前記媒体ケース１の第１のコネクタ５が駆動装置本体２０側の第２のコネクタ３０に連結する。
【００６２】
この連結動作では、まず前記基準ガイドピン３３と補助ガイドピン３４とが、前記媒体ケース１の第１のコネクタ５の両側に設けられた位置決め孔６ａ，６ｂにそれぞれ挿入される。このとき、長さ寸法の長い基準ガイドピン３３が先に媒体ケース１側の位置決め孔６ａに挿入され、次に補助ガイドピン３４が位置決め孔６ｂに挿入される。このため、媒体ケース１は前記基準ガイドピン３３を基準に装置奥部方向（Ｙ１方向）に案内される。
【００６３】
ここで、基準ガイドピン３３の表面と位置決め孔６ａの内面との間の隙間は、補助ガイドピン３４の表面と位置決め孔６ｂの内面との間の隙間より狭い関係にある。これにより、媒体ケース１が挿入と直交する方向に位置ずれした状態で挿入されたとしても、媒体ケース１の移動とともに徐々にその位置ずれ分を補正することができ、基準ガイドピン３３および補助ガイドピン３４が位置決め孔６ａおよび位置決め孔６ｂ内に完全に収まるときには、媒体ケース１を位置ずれのない正しい位置に戻すことができる。したがって、媒体ケース１側の第１のコネクタ５の凹状のコネクタ部５Ａ内に、駆動装置本体２０側の第２のコネクタ３０側の凸状のコネクタ部３１が正常な状態で連結（凹凸嵌合）する。これにより、媒体ケース１側の複数の外部端子５ａと駆動装置本体２０側の複数の接続ピン３２とがそれぞれ接続される。
【００６４】
図８に示すように、基台３０Ａの前面（Ｙ２側の面）には押圧センサ４０が設けられている。装置奥部方向に移動した媒体ケース１の前面パネル４が前記押圧センサ４０のアクチュエータ部４１を押圧すると、スイッチ状態が切り換わる。このスイッチの切り換わり情報が図示しない制御部に伝達されると、前記制御部は駆動モータを停止させる。そして、制御部が、必要に応じてコネクタ３１部およびコネクタ部５Ａを介して媒体ケース１内の記録媒体にアクセスすることにより、記録媒体へのデータの書き込み、または書き込まれているデータの読み出しが可能となる。
【００６５】
このように、本願発明では、径寸法の太い基準ガイドピン３３を基準として、媒体ケース１を駆動本体装置２０の奥部方向に案内するようにしたことにより、媒体ケース１が幅方向に位置ずれした状態で挿入された場合であっても、その位置ずれを補正することができ、コネクタ端子間の良好な電気的な接続を確保することができる。
【００６６】
図３に示すように、化粧パネル１１の前面には、イジェクトスイッチ１４が設けられている。使用者により前記イジェクトスイッチ１４が押されると、制御部は駆動モータを挿入時とは逆方向に駆動させる。これにより、前記アーム２４が図５にて反時計回りに回動させられ、前記スライダ２２が排出方向（Ｙ２方向）に移動させられる。すると、スライダ２２とともに移動する移送部材２５に形成されている一対の押圧部２５ｃ，２５ｃの前面が、媒体ケース１の挿入方向の前面に当接してこれを排出方向に押圧する。これにより、媒体ケース１を排出方向に確実に移動させることができる。
【００６７】
媒体ケース１がスライダ２２とともに排出方向に移動させられると、移送部材２５の一対の押圧部２５ｃ，２５ｃが、天面２１Ａの下面に対向する位置から拡張部２１ｂ，２１ｂ内に入り込む。これにより、移送部材２５のα２方向への回動が可能となる（図７参照）。また媒体ケース１が排出方向に移動させられると、媒体ケース１の後端部（Ｙ１側の端部）が出入口１２を通じて化粧パネル１１の外部に突出させられる。
【００６８】
使用者が、媒体ケース１を把持して引き出すと、移送部材２５の係止凸部２５ａを形成するＹ１側の第２のテーパ部２５ｇが、媒体ケース１側の係止凹部２Ａの上縁部を摺動する。このとき、第２のテーパ部２５ｇには図示Ｚ１方向の持ち上げ力が作用し、結果として移送部材２５が捩じりコイルばね２７の付勢力に抗しながら図示α２に回動させられる。よって、移送部材２５の係止凸部２５ａが係止凹部２Ａから外れ、係止凹部２Ａによる係止状態が解除される。よって、媒体ケース１を記録媒体駆動装置１０の外部に取り出すことができる。
【００６９】
このように、本願発明では、挿入時には移送部材２５に形成された掛止凸部２５ａが媒体ケース１の掛止凹部２Ａを係止するため、媒体ケース１を装置奥部方向に確実に引込むことができる。また排出時には、移送部材２５に形成された一対の押圧部２５ｃ，２５ｃが媒体ケース１を排出方向に押し出す構成としたことにより、媒体ケース１を確実に排出させることが可能である。
【図面の簡単な説明】
【００７０】
【図１】記録媒体を備えた媒体ケースを示す外観斜視図、
【図２】図１に示す媒体ケースの正面図、
【図３】本発明の記録媒体駆動装置の外観を示す斜視図、
【図４】記録媒体駆動装置の内側に設けられた駆動装置本体の分解斜視図、
【図５】駆動装置本体の平面図、
【図６】スライダと移送部材を示す斜視図、
【図７】スライダと移送部材との詳細を示す断面図、
【図８】駆動装置本体を図４とは異なる方向から見た場合を示す斜視図、
【図９】媒体ケースの前後方向を正しい向きで挿入した場合（実線）および逆向きの状態で挿入した場合（点線）とを示す駆動装置本体の正面図、
【図１０】媒体ケースの上下方向を違えて逆さまの状態で挿入した場合を示す駆動装置本体の正面図、
【符号の説明】
【００７１】
１  媒体ケース
２  上部ケース
２ａ，２ｂ，２ｃ，２ｄ  凹部
３  下部ケース
３ａ，３ｂ，３ｃ，３ｄ  凸部
４  前面パネル
５  第１のコネクタ
５ａ  外部端子
６ａ，６ｂ  位置決め孔
７  ライトプロテクト部
１０  記録媒体駆動装置
１１  化粧パネル
１２  出入口
１３  シャッタ
１４  イジェクトスイッチ
２０  駆動装置本体
２１  シャーシ
２１Ａ  天面
２１Ｂ，２１Ｃ  側面
２１Ｄ，２１Ｅ  底面
２１ａ  開口部
２１ｂ，２１ｂ  拡張部
２２  スライダ２２
２２ｂ  折曲片
２４  アーム
２５  移送部材
２５ａ  係止凸部
２５ｃ，２５ｃ  押圧部
２２Ａ  開口部
２７  捩じりコイルばね（付勢部材）
３０  第２のコネクタ
３１  コネクタ部（接続部）
３２  接続ピン
３３  基準ガイドピン（第１のガイドピン）
３４  補助ガイドピン（第２のガイドピン）
４０  押圧センサ
【図１】
0004779096.tif 000002
【図２】
0004779096.tif 000003
【図３】
0004779096.tif 000004
【図４】
0004779096.tif 000005
【図５】
0004779096.tif 000006
【図６】
0004779096.tif 000007
【図７】
0004779096.tif 000008
【図８】
0004779096.tif 000009
【図９】
0004779096.tif 000010
【図１０】
0004779096.tif 000011